(57)【要約】【課題】日射量に対する日射遮蔽率および日射熱取得率を調整できる日射調整窓を提供すること。【解決手段】日射調整窓１は、内ガラス６、外ガラス７および中間ガラス１０を備える。中間ガラス１０は、ガラス温度の上昇によって透過する透過日射量が少なくなる一方、ガラス温度の低下によって透過日射量が多くなる特性を有したサーモクロミックガラス２０によって構成される。内ガラス６および中間ガラス１０の間には密閉された中空層８Ｂが形成される。外ガラス７および中間ガラス１０の間には屋外空間に連通された中空層８Ａが形成される。【選択図】図１
2019183547.tif 000002
【特許請求の範囲】
【請求項１】
屋内空間および屋外空間を隔てた建物壁の開口に設置される日射調整窓であって、
内ガラスと、前記内ガラスに対して屋外側に配置された外ガラスと、前記内ガラスおよび前記外ガラスの間に配置された中間ガラスとを備えており、
前記中間ガラスは、ガラス温度の上昇によって透過する透過日射量が少なくなる一方、ガラス温度の低下によって透過日射量が多くなる特性を有したサーモクロミックガラスによって構成されており、
前記外ガラスおよび前記中間ガラスの間には、屋外中空層が形成されており、
前記内ガラスおよび前記中間ガラスの間には、屋内中空層が形成されており、
前記屋外中空層および前記屋内中空層のうちの一方は密閉されており、
前記屋外中空層および前記屋内中空層のうちの他方は屋外空間に連通される
ことを特徴とする日射調整窓。
【請求項２】
屋内空間および屋外空間を隔てた建物壁の開口に設置される日射調整窓であって、
内ガラスと、前記内ガラスに対して屋外側に配置された外ガラスと、前記内ガラスおよび前記外ガラスの間に配置された中間ガラスとを備えており、
前記中間ガラスは、ガラス温度の上昇によって透過する透過日射量が少なくなる一方、ガラス温度の低下によって透過日射量が多くなる特性を有したサーモクロミックガラスによって構成されており、
前記外ガラスおよび前記中間ガラスの間には、屋外中空層が形成されており、
前記内ガラスおよび前記中間ガラスの間には、屋内中空層が形成されており、
前記屋外中空層は密閉されており、
前記屋内中空層は屋内空間に連通される
ことを特徴とする日射調整窓。
【請求項３】
屋内空間および屋外空間を隔てた建物壁の開口に設置される日射調整窓であって、
内ガラスと、前記内ガラスに対して屋外側に配置された外ガラスと、前記内ガラスおよび前記外ガラスの間に配置された中間ガラスとを備えており、
前記中間ガラスは、ガラス温度の上昇によって透過する透過日射量が少なくなる一方、ガラス温度の低下によって透過日射量が多くなる特性を有したサーモクロミックガラスによって構成されており、
前記外ガラスおよび前記中間ガラスの間には、屋外中空層が形成されており、
前記内ガラスおよび前記中間ガラスの間には、屋内中空層が形成されており、
前記屋外中空層および前記屋内中空層のうちの一方は密閉されており、
前記屋外中空層および前記屋内中空層のうちの他方が屋外空間に連通状態および閉鎖状態を切替可能に連通されると共に、前記屋内中空層が屋内空間に連通状態および閉鎖状態を切替可能に連通される
ことを特徴とする日射調整窓。
【請求項４】
請求項１から請求項３のいずれか一項に記載の日射調整窓において、
前記サーモクロミックガラスの屋内面には、赤外線を遮断する熱遮断膜が形成されている
ことを特徴とする日射調整窓。
【請求項５】
請求項４に記載の日射調整窓において、
前記熱遮断膜は、可視光線を透過し且つ赤外線を吸収する特性を有した熱線吸収膜によって構成されている
ことを特徴とする日射調整窓。
【請求項６】
請求項５に記載の日射調整窓において、
前記熱線吸収膜の赤外線透過率は、前記サーモクロミックガラスの赤外線透過率よりも低くなっている
ことを特徴とする日射調整窓。
【請求項７】
請求項５または請求項６に記載の日射調整窓において、
前記熱線吸収膜の可視光線透過率は、前記サーモクロミックガラスの可視光線透過率よりも高くなっている
ことを特徴とする日射調整窓。
【請求項８】
請求項４に記載の日射調整窓において、
前記熱遮断膜は、可視光線を透過し且つ赤外線を反射する特性を有した熱線反射膜によって構成されている
ことを特徴とする日射調整窓。
【請求項９】
請求項８に記載の日射調整窓において、
前記熱線反射膜の赤外線透過率は、前記サーモクロミックガラスの赤外線透過率よりも低くなっている
ことを特徴とする日射調整窓。
【請求項１０】
請求項８または請求項９に記載の日射調整窓において、
前記熱線反射膜の可視光線透過率は、前記サーモクロミックガラスの可視光線透過率よりも高くなっている
ことを特徴とする日射調整窓。
【発明の詳細な説明】
【技術分野】
【０００１】
本発明は、内ガラスおよび外ガラスの間に中間ガラスを備え、中間ガラスをサーモクロミックガラスによって構成した日射調整窓に関する。
【背景技術】
【０００２】
従来、室内（屋内）側のガラス板と、透過光量を調整するサーモクロミックフィルムが接合された室外（屋外）側のガラス板とを備えており、更にガラス板を備えて三重窓とすることが知られている（特許文献１参照）。
【先行技術文献】
【特許文献】
【０００３】
【特許文献１】特開平２−２８９７８２号公報
【発明の概要】
【発明が解決しようとする課題】
【０００４】
特許文献１に記載のような三重窓においては、一般に、屋外側のガラス板および中間のガラス板の間に屋外中空層を形成し、且つ屋内側のガラス板および中間のガラス板の間に屋内中空層を形成し、屋外中空層および屋内中空層を密閉することで断熱性が保たれる。
【０００５】
ところで、外気温（屋外温度）が高い夏期などに日射量が多くなる場合には、日射量に対する日射遮蔽率を高くする一方、日射量に対する日射熱取得率を低くすることが望まれる。この点、前述したように屋外中空層および屋内中空層が密閉された三重窓では、サーモクロミックフィルムのフィルム温度が上昇することで透過光量が少なくなるので、日射遮蔽率を高くすることができる。一方、外気温が高く室温（屋内温度）が低い場合、密閉された屋外中空層および屋内中空層の熱が日射調整窓を伝わって屋内空間へ侵入することで、屋内空間への熱侵入量が多くなってしまうので、日射熱取得率を低くすることが困難である。
【０００６】
また、外気温が低い冬期などに日射量が多くなる場合には、日射量に対する日射遮蔽率を低くする一方、日射量に対する日射熱取得率を高くすることが望まれる。この点、前述したように屋外中空層および屋内中空層が密閉された三重窓では、サーモクロミックフィルムは、密閉された屋外中空層および屋内中空層の双方の熱に影響されてフィルム温度が上昇してしまい、透過光量が少なくなるので、日射遮蔽率を低くすることが困難である。一方、外気温が低く室温が高い場合、密閉された屋外中空層や屋内中空層の熱が屋内空間へ直接に伝わらずに留まってしまうおそれがあり、この熱を利用して日射熱取得率を高くすることが困難である。
【０００７】
本発明の第一の目的は、外気温が室温よりも高い夏期などに日射量が多くなる場合において、日射量に対する日射遮蔽率を高くする一方、日射量に対する日射熱取得率を低くすることができる日射調整窓を提供することにある。
本発明の第二の目的は、外気温が室温よりも低い冬期などに日射量が多くなる場合において、日射量に対する日射遮蔽率を低くする一方、日射量に対する日射熱取得率を高くすることができる日射調整窓を提供することにある。
【課題を解決するための手段】
【０００８】
本発明の日射調整窓は、屋内空間および屋外空間を隔てた建物壁の開口に設置される日射調整窓であって、内ガラスと、前記内ガラスに対して屋外側に配置された外ガラスと、前記内ガラスおよび前記外ガラスの間に配置された中間ガラスとを備えており、前記中間ガラスは、ガラス温度の上昇によって透過する透過日射量が少なくなる一方、ガラス温度の低下によって透過日射量が多くなる特性を有したサーモクロミックガラスによって構成されており、前記外ガラスおよび前記中間ガラスの間には、屋外中空層が形成されており、前記内ガラスおよび前記中間ガラスの間には、屋内中空層が形成されており、前記屋外中空層および前記屋内中空層のうちの一方は密閉されており、前記屋外中空層および前記屋内中空層のうちの他方は屋外空間に連通されることを特徴とする。
本発明の日射調整窓によれば、外気温が室温よりも高い夏期などに日射量が多くなる環境下においては、日射を受けてサーモクロミックガラスのガラス温度が上昇することで、サーモクロミックガラスを透過する透過日射量を少なくできると共に、密閉された屋外中空層および屋内中空層のうちの一方によってサーモクロミックガラスのガラス温度を保つことができ、これにより、日射量に対する日射遮蔽率を高くすることができる。一方、屋外中空層および屋内中空層のうちの他方から屋外空間へ排熱されるので、日射調整窓自体の温度の上昇を抑えることができて屋内空間への熱侵入量を少なくでき、これにより、日射量に対する日射熱取得率を低くすることができる。このように本発明の第一の目的を達成できる
【０００９】
本発明の日射調整窓は、屋内空間および屋外空間を隔てた建物壁の開口に設置される日射調整窓であって、内ガラスと、前記内ガラスに対して屋外側に配置された外ガラスと、前記内ガラスおよび前記外ガラスの間に配置された中間ガラスとを備えており、前記中間ガラスは、ガラス温度の上昇によって透過する透過日射量が少なくなる一方、ガラス温度の低下によって透過日射量が多くなる特性を有したサーモクロミックガラスによって構成されており、前記外ガラスおよび前記中間ガラスの間には、屋外中空層が形成されており、前記内ガラスおよび前記中間ガラスの間には、屋内中空層が形成されており、前記屋外中空層は密閉されており、前記屋内中空層は屋内空間に連通されることを特徴とする。
本発明の日射調整窓によれば、外気温が室温よりも低い冬期などに日射量が多くなる環境下においては、屋内中空層から屋内空間へ放熱されるので、例えば屋外中空層および屋内中空層の双方が密閉される場合と比べて、サーモクロミックガラスのガラス温度の上昇を抑えることができ、サーモクロミックガラスを透過する透過日射量を多くすることができて、日射量に対する日射遮蔽率を低くすることができる。一方、屋外中空層において屋内外を断熱しつつ、屋内中空層の熱を留まらせずに屋内空間へ直接取り込むことができ、これにより、日射量に対する日射熱取得率を高くすることができる。このように本発明の第二の目的を達成できる
【００１０】
本発明の日射調整窓では、屋内空間および屋外空間を隔てた建物壁の開口に設置される日射調整窓であって、内ガラスと、前記内ガラスに対して屋外側に配置された外ガラスと、前記内ガラスおよび前記外ガラスの間に配置された中間ガラスとを備えており、前記中間ガラスは、ガラス温度の上昇によって透過する透過日射量が少なくなる一方、ガラス温度の低下によって透過日射量が多くなる特性を有したサーモクロミックガラスによって構成されており、前記外ガラスおよび前記中間ガラスの間には、屋外中空層が形成されており、前記内ガラスおよび前記中間ガラスの間には、屋内中空層が形成されており、前記屋外中空層および前記屋内中空層のうちの一方は密閉されており、前記屋外中空層および前記屋内中空層のうちの他方が屋外空間に連通状態および閉鎖状態を切替可能に連通されると共に、前記屋内中空層が屋内空間に連通状態および閉鎖状態を切替可能に連通されることを特徴とする。
本発明の日射調整窓によれば、外気温が室温よりも高い夏期などに日射量が多くなる環境下においては、屋外中空層および屋内中空層のうちの他方を屋外空間に連通する一方、屋内中空層を屋内空間に対して閉鎖することで、前述したように日射遮蔽率を高くすることができる一方、日射熱取得率を低くすることができる。
また、外気温が室温よりも低い冬期などに日射量が多くなる環境下においては、屋外中空層および屋内中空層のうちの他方を屋外空間に対して閉鎖する一方、屋内中空層を屋内空間に連通することで、前述したように日射遮蔽率を低くすることができる一方、日射熱取得率を高くすることができる。
このように、外気温および室温や日射量に応じて連通状態を切り替えることができ、日射遮蔽率および日射熱取得率を調整することで本発明の第一、第二の目的を達成できる。
【００１１】
本発明の日射調整窓では、前記サーモクロミックガラスの屋内面には、赤外線を遮断する熱遮断膜が形成されていてもよい。
このような構成によれば、サーモクロミックガラスの屋内面に形成された熱遮断膜が、サーモクロミックガラス全体を透過した赤外線を吸収や反射によって遮断する。このため、赤外線を吸収してフィルム温度が上昇した熱遮断膜からサーモクロミックガラスに熱伝導されたり、熱遮断膜が反射した赤外線がサーモクロミックガラスに再び戻されたりすることで、サーモクロミックガラスのガラス温度の上昇を促進できる。これにより、太陽の日射量が多くなって外気温が高まる場合には、例えば熱遮断膜が屋内面に形成されていないサーモクロミックガラスと比べて、外ガラスが遮蔽する日射量を速やかに多くすることができ、日射調整窓から屋内空間への熱侵入量を抑えることができる。
【００１２】
本発明の日射調整窓では、前記熱遮断膜は、可視光線を透過し且つ赤外線を吸収する特性を有した熱線吸収膜によって構成されていてもよい。
このような構成によれば、サーモクロミックガラスを透過する可視光線に対する熱線吸収膜の影響を抑えることができると共に、サーモクロミックガラスを透過した赤外線を熱線吸収膜によって吸収することができる。このように赤外線を吸収することで熱線吸収膜の温度が上昇し、熱線吸収膜からサーモクロミックガラスに熱伝導して、サーモクロミックガラスのガラス温度の上昇を促進できる。
【００１３】
本発明の日射調整窓では、前記熱線吸収膜の赤外線透過率は、前記サーモクロミックガラスの赤外線透過率よりも低くなっていてもよい。
このような構成によれば、サーモクロミックガラスを透過した赤外線を熱線吸収膜で遮断できるので、日射遮蔽ガラスから屋内空間への熱侵入量を抑えることができる。
【００１４】
本発明の日射調整窓では、前記熱線吸収膜の可視光線透過率は、前記サーモクロミックガラスの可視光線透過率よりも高くなっていてもよい。
このような構成によれば、サーモクロミックガラスを透過した可視光線を熱線吸収膜にも透過させることができ、熱線吸収膜の可視光線への影響を抑えることができる。
【００１５】
本発明の日射調整窓では、前記熱遮断膜は、可視光線を透過し且つ赤外線を反射する特性を有した熱線反射膜によって構成されていてもよい。
このような構成によれば、サーモクロミックガラスを透過する可視光線に対する熱線反射膜の影響を抑えることができると共に、サーモクロミックガラスを透過した赤外線を熱線反射膜によって反射することができる。このように赤外線を反射してサーモクロミックガラスに再び戻すことで、サーモクロミックガラスのガラス温度の上昇を促進できる。
【００１６】
本発明の日射調整窓では、前記熱線反射膜の赤外線透過率は、前記サーモクロミックガラスの赤外線透過率よりも低くなっていてもよい。
このような構成によれば、サーモクロミックガラスを透過した赤外線を熱線反射膜で遮断できるので、日射遮蔽ガラスから屋内空間への熱侵入量を抑えることができる。
【００１７】
本発明の日射調整窓では、前記熱線反射膜の可視光線透過率は、前記サーモクロミックガラスの可視光線透過率よりも高くなっていてもよい。
このような構成によれば、サーモクロミックガラスを透過した可視光線を熱線反射膜にも透過させることができ、熱線反射膜の可視光線への影響を抑えることができる。
【発明の効果】
【００１８】
本発明によれば、外気温が室温よりも高い夏期などに日射量が多くなる場合において、日射量に対する日射遮蔽率を高くする一方、日射量に対する日射熱取得率を低くする第一の目的を達成できる日射調整窓を提供することができる。
本発明によれば、外気温が室温よりも低い冬期などに日射量が多くなる場合において、日射量に対する日射遮蔽率を低くする一方、日射量に対する日射熱取得率を高くする第二の目的を達成できる日射調整窓を提供することができる。
【図面の簡単な説明】
【００１９】
【図１】本発明の第１実施形態に係る日射調整窓を示す模式図。
【図２】第１実施形態に係る日射調整窓の分光透過率を示すグラフ。
【図３】第１実施形態に係る日射調整窓の熱遮断フィルムの分光特性を示すグラフ。
【図４】第１実施形態に係る日射調整窓のガラス温度および日射量の関係を示すグラフ。
【図５】本発明の第２実施形態に係る日射調整窓を示す模式図。
【図６】本発明の第３実施形態に係る日射調整窓を示す模式図。
【発明を実施するための形態】
【００２０】
［第１実施形態］
以下、本発明の第１実施形態を図面に基づいて説明する。
図１において、第１実施形態に係る日射調整窓１は、外気温（屋外温度）が室温（屋内温度）よりも高くなる夏期使用に適したものであり、屋内空間および屋外空間を隔てた建物壁２の開口３に設置される三重窓によって構成されており、内ガラス６と、内ガラス６よりも屋外側に配置された外ガラス７と、内ガラス６および外ガラス７の間に配置された中間ガラス１０とを備えている。内ガラス６および中間ガラス１０は、その上縁、下縁および左右の縦縁が窓枠４に取り付けられており、外ガラス７は、その左右の縦縁が窓枠４に取り付けられている。外ガラス７は、中間ガラス１０に対して見込み方向に距離Ｌ１を隔てて配置されており、これにより、外ガラス７および中間ガラス１０の間には中空層８Ａ（屋外中空層）が形成されている。内ガラス６は、中間ガラス１０に対して見込み方向に距離Ｌ２を隔てて配置されており、これにより、内ガラス６および中間ガラス１０の間には中空層８Ｂ（屋内中空層）が形成されている。
【００２１】
内ガラス６および外ガラス７は、矩形板状の透明ガラスによって構成されており、中間ガラス１０は、矩形板状のサーモクロミックガラス２０と、サーモクロミックガラス２０の屋内面２２に貼り付けられた熱遮断膜としてのシート状の熱遮断フィルム３０とを備えた日射遮蔽ガラスとして構成されている。熱遮断フィルム３０は、屋内面２２のうち屋内中空層８Ｂに露出する全面に貼り付けられている。なお、サーモクロミックガラス２０の屋外面２１には熱遮断フィルム３０などは貼り付けられていない。
外ガラス７の屋外面７１は、図１においては前記建物壁２の開口３のうち外壁面２Ａに対して屋外側に寄った位置に配置されている。外ガラス７の上縁および下縁と窓枠４との間には、中空層８Ａを屋外空間に連通する連通口９Ａがそれぞれ形成されており、外ガラス７に対して上下に位置する二つの連通口９Ａのうちの一方から屋外の空気を中空層８Ａに取り入れ、他方から中空層８Ａの空気を排出することで、中空層８Ａを換気可能となっている。
ここで、連通口９Ａの開口面積が大きすぎると、中空層８Ａからの排熱量が多くなり、中間ガラス１０のサーモクロミックガラス２０のガラス温度が外気温とほぼ同じとなってしまい、太陽５の日射によってサーモクロミックガラス２０のガラス温度が上昇しにくくなる。一方、連通口９Ａの開口面積が小さすぎると、中空層８Ａからの排熱量が少なくなり、中空層８Ａの熱が屋内側に伝わって屋内空間への熱侵入量が大きくなるおそれがある。第１実施形態では、連通口９Ａの開口面積は、日射調整窓１から屋内空間への熱侵入量と、日射調整窓１を透過する透過日射量との総量が最小となる排熱量となるように、中空層８Ａ，８Ｂの容量・断熱性や中間ガラス１０の特性などとの関係を考慮して設定される。
また、外ガラス７および中間ガラス１０の間の距離Ｌ１、すなわち、中空層８Ａの見込み方向における距離Ｌ１が大きいと、中空層８Ａの容量が大きくなるので外ガラス７側から中間ガラス１０側に伝わる熱が少なくなって日射調整窓１から屋内空間への熱侵入量を減らすことができる一方、サーモクロミックガラス２０のガラス温度が上昇しにくくなって日射調整窓１を透過する透過日射量を減らしにくくなる。逆に、距離Ｌ１が小さいと、中空層８Ａの容量が小さくなるので外ガラス７側から中間ガラス１０側に伝わる熱が多くなって屋内空間への熱侵入量が増えてしまう一方、サーモクロミックガラス２０のガラス温度が上昇しやすくなって日射調整窓１を透過する透過日射量を減らしやすくなる。第１実施形態では、距離Ｌ１は、日射調整窓１から屋内空間への熱侵入量と、日射調整窓１を透過する透過日射量との総量が最小となるように、連通口９Ａの開口面積、中空層８Ｂの容量・断熱性や中間ガラス１０の特性などとの関係を考慮して設定される。
【００２２】
内ガラス６および中間ガラス１０の間の中空層８Ｂは屋内外を断熱する密閉空間とされている。内ガラス６および中間ガラス１０の間の距離Ｌ２、すなわち、中空層８Ｂの見込み方向における距離Ｌ２が大きいと、中間ガラス１０側から内ガラス６側へ伝わる熱が少なくなって日射調整窓１から屋内空間への熱侵入量を減らすことができるが、日射調整窓１の見込み寸法が大きくなってしまう。逆に、Ｌ２が小さいと、中間ガラス１０側から内ガラス６側へ伝わる熱が多くなって日射調整窓１から屋内空間への熱侵入量が増えてしまう一方、日射調整窓１の見込み寸法を小さくできる。第１実施形態では、距離Ｌ２は、屋内空間への熱侵入量を減らしつつ日射調整窓１の見込み寸法を小さくできるように中空層８Ａの容量・断熱性や連通口９Ａによる排熱量との関係を考慮して設定される。
【００２３】
サーモクロミックガラス２０は、透明ガラスに二酸化バナジウムなどの遷移金属酸化物を含んだサーモクロミック層を設けて構成されている。サーモクロミックガラス２０は、ガラス温度の変化によって日射量の透過率が変化するサーモクロミック現象が生じるものであり、ガラス温度の上昇によって透過する透過日射量が少なくなる一方、ガラス温度の低下によって透過する透過日射量が多くなる特性を有している。第１実施形態では、サーモクロミックガラス２０はガラス温度の変化によって主に可視光線透過率が変化する特性を有している。
【００２４】
図２（Ａ）のグラフはサーモクロミックガラス２０の分光透過率を示している。このグラフでは、縦軸が日射の透過率（％）であり、横軸が日射の波長（ｎｍ）であり、ガラス温度が２０℃、４０℃、５０℃、７０℃である場合の透過率と波長の関係を、線種を分けてそれぞれ示している。
ここで、第１実施形態では、可視放射の波長範囲は、短波長限界を３６０ｎｍ〜４００ｎｍとし、且つ長波長限界を７６０ｎｍ〜８３０ｎｍとし、この波長範囲を可視光線領域とする。また、赤外放射の波長範囲は、単色光成分の波長が可視放射の波長よりも長く、短波長限界を７６０ｎｍ〜８３０ｎｍとした波長範囲を赤外線領域とする。
【００２５】
図２（Ａ）のグラフでは、サーモクロミックガラス２０の可視光線領域における可視光線透過率は、ガラス温度２０℃〜７０℃の変化に応じて、赤外線領域における赤外線透過率よりも大きく変化している。具体的には、可視光線領域において波長が６００ｎｍ程度である場合に可視光線透過率の変化が大きくなっており、ガラス温度２０℃では可視光線透過率が６５％程度である一方、ガラス温度７０℃では可視光線透過率が１５％程度であり、およそ５０％の可視光線透過率の変化範囲がみられる。これに対して、赤外線領域において波長が１０００ｎｍ程度である場合に赤外線透過率の変化が大きくなっており、ガラス温度２０℃では赤外線透過率が６２％程度である一方、ガラス温度７０℃では赤外線透過率が４７％程度であり、およそ１５％の赤外線透過率の変化がみられる。このように、サーモクロミックガラス２０のガラス温度２０℃〜７０℃の変化に応じて、可視光線透過率が５０％程度も変化するのに対し、赤外線透過率は１５％程度しか変化しない。
【００２６】
また、図２（Ａ）のグラフでは、サーモクロミックガラス２０のガラス温度２０℃の場合には、可視光線領域における波長８００ｎｍ程度で可視光線透過率７３％程度であるのに対し、赤外線領域における波長１６００ｎｍ程度で赤外線透過率７０％程度となっている。このことより、ガラス温度が低下した場合、サーモクロミックガラス２０の可視光線透過率および赤外線透過率は同程度（数％の違いを含む）となる。一方、サーモクロミックガラス２０のガラス温度７０℃の場合には、可視光線領域における波長６００ｎｍ程度で可視光線透過率１５％程度であるのに対し、赤外線領域における波長１７００ｎｍ程度で赤外線透過率３１％程度である。このことより、ガラス温度が上昇した場合、サーモクロミックガラス２０の可視光線透過率は赤外線透過率よりも低くなる。
【００２７】
熱遮断フィルム３０は、主に赤外線（熱線）を吸収する特性を有した熱線吸収膜としてのシート状の熱線吸収フィルムによって構成されている。
熱線吸収フィルムは、例えばポリエステル等の樹脂フィルムが積層された構造とされるが、前述した特性および後述する特性を発揮可能な構成であれば前記構造でなくてもよい。
【００２８】
図３（Ａ）のグラフは熱線吸収フィルムの分光特性を示している。このグラフでは、縦軸が日射の透過率・吸収率（％）であり、横軸が日射の波長（ｎｍ）であり、熱線吸収フィルムの透過率と波長の関係を実線で示しており、熱線吸収フィルムの吸収率と波長の関係を点線で示している。
図３（Ａ）のグラフでは、熱線吸収フィルムは、可視光線はあまり吸収せずに透過する一方、赤外線を多く吸収してあまり透過しない特性を有していることがわかる。また、熱線吸収フィルムの可視光線透過率が、サーモクロミックガラス２０の可視光線透過率よりも高くなっており、熱線吸収フィルムの赤外線透過率が、サーモクロミックガラス２０の赤外線透過率よりも低くなっていることがわかる。
【００２９】
図２（Ｂ）のグラフは、第１実施形態の中間ガラス１０として、サーモクロミックガラス２０の屋内面２２に熱遮断フィルム３０として熱線吸収フィルムを貼り付けたものの分光透過率を示している。このグラフでは、縦軸が日射の透過率（％）であり、横軸が日射の波長（ｎｍ）であり、ガラス温度が２０℃、４０℃、５０℃、７０℃である場合の透過率と波長の関係を、線種を分けてそれぞれ示している。
図２（Ｂ）のグラフでは、中間ガラス１０の可視光線透過率の変化範囲は、図２（Ａ）のグラフに示されるサーモクロミックガラス２０の可視光線透過率の変化範囲と比べて、同程度以上の変化範囲を保っていることがわかる。また、図２（Ｂ）のグラフにおける可視光線透過率は、図２（Ａ）のグラフにおける可視光線透過率と比べて、１０％前後の低下に抑えられていることから、サーモクロミックガラス２０の屋内面２２に熱線吸収フィルムを貼り付けても、中間ガラス１０の可視光線透過率への影響は低いことがわかる。
一方、図２（Ｂ）のグラフでは、中間ガラス１０の赤外線透過率が、図２（Ａ）のグラフに示されるサーモクロミックガラス２０の赤外線透過率に対して大幅に低くなっており、このように透過率が低くなった分は熱線吸収フィルムによって吸収され、熱線吸収フィルムのフィルム温度が上昇してサーモクロミックガラス２０に熱伝導されることが推測される。
【００３０】
サーモクロミックガラス２０の屋内面２２に熱遮断フィルム３０として熱線吸収フィルムを貼り付けた中間ガラス１０は、次のように作用する。ここでは、外気温が室温よりも高い場合を想定する。
図１に示すように、太陽５からの日射をサーモクロミックガラス２０が受けると、サーモクロミックガラス２０はその透過率に応じて可視光線および赤外線を透過すると共に透過されない赤外線を直接吸収する。
次に、サーモクロミックガラス２０を透過した日射を熱線吸収フィルムが受けると、熱線吸収フィルムはその透過率に応じて可視光線を透過し且つ赤外線を吸収する。熱線吸収フィルムを透過した可視光線は屋内空間に入射されるが、赤外線は熱線吸収フィルムに吸収されて屋内空間にほぼ入射されないので、中間ガラス１０が受ける日射量（屋外面２１が受ける窓面日射量）に対する屋内空間への熱侵入率は低く抑えられる。また、熱線吸収フィルムは、吸収した赤外線によってフィルム温度が上昇するので、フィルム温度がサーモクロミックガラス２０のガラス温度よりも高くなった場合には熱伝導してガラス温度の上昇を促進させる。
【００３１】
太陽５からの日射が強まって中間ガラス１０の屋外面２１が受ける窓面日射量が多くなっていく場合、サーモクロミックガラス２０のガラス温度は、日射を直接吸収するうえ、熱線吸収フィルムから熱伝導されて熱取得することで速やかに上昇する。このため、サーモクロミックガラス２０の可視光線透過率は速やかに低くなり、可視光線遮蔽率は高くなる。また、太陽５からの日射が弱まって中間ガラス１０の屋外面２１が受ける窓面日射量が少なくなっていく場合、サーモクロミックガラス２０が日射を直接吸収する量が少なくなると共に、熱線吸収フィルムから熱取得する量も少なくなり、サーモクロミックガラス２０のガラス温度が低下する。このため、サーモクロミックガラス２０の可視光線透過率は高くなり、可視光線遮蔽率は低くなる。このように、日射調整窓１は日射量に応じて日射遮蔽する。
【００３２】
図４のグラフは、外気温３０℃および室温２５℃の下、前述したように中間ガラス１０の屋外面２１が受ける窓面日射量（Ｗ/ｍ２）およびガラス温度（℃）の関係と、熱遮断フィルム３０が貼り付けられていないサーモクロミックガラス２０単体における窓面日射量（Ｗ/ｍ２）およびガラス温度（℃）の関係とを示している。
サーモクロミックガラス２０単体のガラス温度は、窓面日射量が１００Ｗ/ｍ２から９００Ｗ/ｍ２まで多くなる間に、３０℃程度から４６℃程度にまで上昇する。これに対して、中間ガラス１０（サーモクロミックガラス２０＋熱線吸収フィルム）のガラス温度は、窓面日射量が１００Ｗ/ｍ２から９００Ｗ/ｍ２まで多くなる間に、３１℃程度から５５℃程度にまで上昇する。このことより、窓面日射量に対するガラス温度の上昇率は、サーモクロミックガラス２０単体よりも中間ガラス１０の方が高いことがわかる。
【００３３】
以下、日射調整窓１の作用について説明する。ここでは、外気温が室温よりも高く、屋外空間から屋内空間へ熱が侵入しやすい環境下を想定する。
外ガラス７は、屋外空間に晒されるので外気温に近いガラス温度となる。この外ガラス７は透明ガラスなので太陽５からの日射を透過する。中間ガラス１０が外ガラス７を透過した日射を受けると、サーモクロミックガラス２０のガラス温度に応じて透過する透過日射量を調整し、日射のうち赤外線を熱遮断フィルム３０によって熱遮断する。中間ガラス１０の具体的作用は前述した通りである。内ガラス６が中間ガラス１０を透過した日射を受けると、透明ガラスなので日射を透過する。このように、太陽５からの日射を透過する透過日射量は概ね中間ガラス１０によって調整され、サーモクロミックガラス２０のガラス温度の上昇によって日射を遮蔽する。ここで、中間ガラス１０および内ガラス６の間の中空層８Ｂは密閉されているので、中間ガラス１０の熱が逃げることを抑制でき、これにより、サーモクロミックガラス２０のガラス温度を保つことができる。
また、中空層８Ａは、屋外空間から外ガラス７を透過した日射、外ガラス７から伝わる熱や中間ガラス１０の熱に影響されて空間温度が上昇されようとするが、中空層８Ａは連通口９Ａを通じて換気されるので、中空層８Ａから屋外空間へ排熱される。これにより、例えば中空層８Ａが密閉されている場合には、この中空層８Ａの空間温度が上昇して熱が中空層８Ｂへ伝わって屋内空間への熱侵入率が高くなるおそれがあるが、第１実施形態では中空層８Ａから連通口９Ａを通じて排熱するので、中空層８Ａの空間温度の上昇を抑え、屋内空間への熱侵入率が高くなるおそれをなくしている。従って、中空層８Ａ，８Ｂの双方が密閉される場合と比べ、日射量に対する日射熱取得率が低くなる。
【００３４】
以上の日射調整窓１において、サーモクロミックガラス２０の屋内面２２に貼り付けられる熱遮断フィルム３０は熱線吸収フィルムとして説明したが、熱線吸収フィルムではなく、主に赤外線を反射する特性を有した熱線反射膜としてのシート状の熱線反射フィルムとしてもよい。
熱線反射フィルムは、例えばポリエステル等の樹脂フィルムが積層された構造とされるが、前述した特性および後述する特性を発揮可能な構成であれば前記構造でなくてもよい。
【００３５】
図３（Ｂ）のグラフは熱線反射フィルムの分光特性を示している。このグラフでは、縦軸が日射の透過率・反射率（％）であり、横軸が日射の波長（ｎｍ）であり、熱線反射フィルムの透過率と波長の関係を実線で示しており、熱線反射フィルムの反射率と波長の関係を点線で示している。
図３（Ｂ）のグラフでは、熱線反射フィルムは、可視光線はあまり反射せずに透過する一方、赤外線を多く反射してあまり透過しない特性を有していることがわかる。また、熱線反射フィルムの可視光線透過率は、サーモクロミックガラス２０の赤外線透過率よりも低くなっていることがわかる。
【００３６】
サーモクロミックガラス２０の屋内面２２に熱遮断フィルム３０として熱線反射フィルムを貼り付けた中間ガラス１０が窓枠４に取り付けられた日射調整窓１は、次のように作用する。ここでは、外気温が室温よりも高い場合を想定する。
図１に示すように、太陽５からの日射をサーモクロミックガラス２０が受けると、サーモクロミックガラス２０はその透過率に応じて可視光線および赤外線を透過すると共に透過されない赤外線を直接吸収する。
次に、サーモクロミックガラス２０を透過した日射を熱線反射フィルムが受けると、熱線反射フィルムはその透過率に応じて可視光線を透過し且つ赤外線を反射する。熱線反射フィルムを透過した可視光線は屋内空間に入射されるが、赤外線は熱線反射フィルムに反射されることで屋内空間への入射量が少ないので、中間ガラス１０が受ける日射量に対する屋内空間への熱侵入率は低く抑えられる。また、熱線反射フィルムに反射された赤外線は再びサーモクロミックガラス２０に戻され、サーモクロミックガラス２０は反射された赤外線を吸収するので、サーモクロミックガラス２０のガラス温度の上昇は促進される。
【００３７】
太陽５からの日射が強まって中間ガラス１０の屋外面２１が受ける窓面日射量が多くなっていく場合、サーモクロミックガラス２０のガラス温度は、日射を直接吸収するうえ、熱線反射フィルムに反射された赤外線を吸収することで速やかに上昇する。このため、サーモクロミックガラス２０の可視光線透過率は速やかに低くなり、可視光線遮蔽率は高くなる。また、太陽５からの日射が弱まって中間ガラス１０の屋外面２１が受ける窓面日射量が少なくなっていく場合、サーモクロミックガラス２０が日射を直接吸収する量が少なくなると共に、熱線反射フィルムに反射する赤外線の量も少なくなり、サーモクロミックガラス２０のガラス温度が低下する。このため、サーモクロミックガラス２０の可視光線透過率は高くなり、可視光線遮蔽率は低くなる。このように、日射調整窓１は日射量に応じて日射遮蔽する。
【００３８】
［第１実施形態の効果］
（１）第１実施形態では、日射調整窓１は、内ガラス６、外ガラス７および中間ガラス１０を備えており、中間ガラス１０は、ガラス温度の上昇によって透過する透過日射量が少なくなる一方、ガラス温度の低下によって透過日射量が多くなる特性を有したサーモクロミックガラス２０によって構成されており、内ガラス６および中間ガラス１０の間に形成された中空層８Ｂは密閉されており、外ガラス７および中間ガラス１０の間に形成された中空層８Ａは屋外空間に連通されることを特徴とする。上記構成を有するため、外気温が室温よりも高い夏期などに日射量が多くなる環境下においては、日射を受けてサーモクロミックガラス２０のガラス温度が上昇することで、サーモクロミックガラス２０を透過する透過日射量を少なくできると共に、密閉された中空層８Ｂによってサーモクロミックガラス２０のガラス温度を保つことができ、これにより、日射量に対する日射遮蔽率を高くすることができる。一方、中空層８Ａから屋外空間へ排熱されるので、日射調整窓１自体の温度の上昇を抑えることができて屋内空間への熱侵入量を少なくでき、これにより、日射量に対する日射熱取得率を低くすることができる。
（２）サーモクロミックガラス２０の屋内面２２に熱遮断フィルム３０が貼り付けられることで、熱遮断フィルム３０が、サーモクロミックガラス２０全体を透過した赤外線を吸収や反射によって遮断でき、吸収や反射された赤外線を利用してサーモクロミックガラス２０のガラス温度の上昇を促進できる。これにより、太陽５の日射量が多くなる場合には、中間ガラス１０が遮蔽する日射量を速やかに多くすることができ、屋内空間への熱侵入量を抑えることができる。
（３）熱遮断フィルム３０が可視光線を透過し且つ赤外線を吸収する特性を有した熱線吸収フィルムによって構成される場合、サーモクロミックガラス２０を透過する可視光線に対する熱線吸収フィルムの影響を抑えることができると共に、サーモクロミックガラス２０を透過した赤外線を熱線吸収フィルムによって吸収することができ、サーモクロミックガラス２０のガラス温度の上昇を促進できる。
（４）熱線吸収フィルムの赤外線透過率がサーモクロミックガラス２０の赤外線透過率よりも低くなっているので、サーモクロミックガラス２０を透過した赤外線を熱線吸収フィルムで遮断でき、屋内空間への熱侵入量を抑えることができる。
（５）熱線吸収フィルムの可視光線透過率がサーモクロミックガラス２０の可視光線透過率よりも高くなっているので、サーモクロミックガラス２０を透過した可視光線を熱線吸収フィルムにも透過させることができ、熱線吸収フィルムの可視光線への影響を抑えることができる。
（６）熱遮断フィルム３０が可視光線を透過し且つ赤外線を反射する特性を有した熱線反射フィルムによって構成される場合、サーモクロミックガラス２０を透過する可視光線に対する熱線反射フィルムの影響を抑えることができると共に、サーモクロミックガラス２０を透過した赤外線を熱線反射フィルムによって反射することができ、サーモクロミックガラス２０のガラス温度の上昇を促進できる。
（７）熱線反射フィルムの赤外線透過率がサーモクロミックガラス２０の赤外線透過率よりも低くなっているので、サーモクロミックガラス２０を透過した赤外線を熱線反射フィルムで遮断でき、屋内空間への熱侵入量を抑えることができる。
（８）熱線反射フィルムの可視光線透過率がサーモクロミックガラス２０の可視光線透過率よりも高くなっているので、サーモクロミックガラス２０を透過した可視光線を熱線反射フィルムにも透過させることができ、熱線反射フィルムの可視光線への影響を抑えることができる。
（９）外ガラス７の屋外面７１を外壁面２Ａに対して屋外側に寄った位置に配置しているので、例えば外ガラス７の屋外面７１が建物壁２の外壁面２Ａよりも屋外側に突出した位置に配置される場合と比べて、外ガラス７が屋外の風の影響を受けにくい構成にでき、屋外空間から中空層８Ａに流れ込む気体流量を抑えることができる。これにより、中空層８Ａの空間温度が過度に低下し、この空間温度の影響を受けたサーモクロミックガラス２０を透過する透過日射量が過度に多くなることを抑制できて、日射調整窓１を透過する透過日射量と中空層８Ａの排熱とのバランスを安定させることができ、屋内空間における日射熱取得率を小さくすることができる。
【００３９】
［第２実施形態］
以下、本発明の第２実施形態を図面に基づいて説明する。
図５において、第２実施形態に係る日射調整窓１Ｂは、外気温が室温よりも高くなる夏期使用に適したものであり、前述した日射調整窓１に対して、外ガラス７および中間ガラス１０の間の中空層８Ａが密閉されており、内ガラス６および中間ガラス１０の間の中空層８Ｂが屋外空間に連通される構成が相違する。
内ガラス６の上縁、下縁および左右の縦縁が窓枠４に取り付けられており、外ガラス７および中間ガラス１０の左右の縦縁が窓枠４に取り付けられており、更に、外ガラス７および中間ガラス１０の上縁および下縁には閉塞材１１が取り付けられており、この閉塞材１１によって中空層８Ａの上部および下部が閉塞されている。
上下の閉塞材１１と窓枠４との間には、中空層８Ｂを屋外空間に排熱可能に連通した連通口９Ｂが形成されている。連通口９Ｂの開口面積は、第１実施形態における連通口９Ａの開口面積と同様に、日射調整窓１Ｂから屋内空間への熱侵入量と、日射調整窓１Ｂを透過する透過日射量との総量が最小となる排熱量となるように、中空層８Ａ，８Ｂの容量・断熱性や中間ガラス１０の特性などとの関係を考慮して設定される。
密閉された中空層８Ａの距離Ｌ１は、第１実施形態における中空層８Ｂの距離Ｌ２と同様に、屋内空間への熱侵入量を減らしつつ日射調整窓１Ｂの見込み寸法を小さくできるように中空層８Ｂの容量・断熱性や連通口９Ａによる排熱量との関係を考慮して設定される。
屋外空間に連通された中空層８Ｂの距離Ｌ２は、第１実施形態における中空層８Ａの距離Ｌ２と同様に、日射調整窓１Ｂから屋内空間への熱侵入量と、日射調整窓１Ｂを透過する透過日射量との総量が最小となるように、連通口９Ｂの開口面積、中空層８Ａの容量・断熱性や中間ガラス１０の特性などとの関係を考慮して設定される。
【００４０】
次に日射調整窓１Ｂの作用について説明する。ここでは、外気温が室温よりも高く、屋外空間から屋内空間へ熱が侵入しやすい環境下を想定する。
外ガラス７は、屋外空間に晒されるので外気温に近いガラス温度となる。この外ガラス７は透明ガラスなので太陽５からの日射を透過する。中間ガラス１０が外ガラス７を透過した日射を受けると、サーモクロミックガラス２０のガラス温度に応じて透過する透過日射量を調整し、日射のうち赤外線を熱遮断フィルム３０によって熱遮断する。中間ガラス１０の具体的作用は前述した通りである。内ガラス６が中間ガラス１０を透過した日射を受けると、透明ガラスなので日射を透過する。このように、太陽５からの日射を透過する透過日射量は概ね中間ガラス１０によって調整され、サーモクロミックガラス２０のガラス温度の上昇によって日射を遮蔽する。ここで、中間ガラス１０および外ガラス７の間の中空層８Ａは密閉されているので、中間ガラス１０の熱が逃げることを抑制でき、これにより、サーモクロミックガラス２０のガラス温度を保つことができる。
また、中空層８Ｂは、中間ガラス１０を透過した日射や中間ガラス１０から伝わる熱に影響されて空間温度が上昇されようとするが、中空層８Ｂは連通口９Ｂを通じて換気されるので、中空層８Ｂから屋外空間へ排熱される。これにより、例えば中空層８Ｂが密閉されている場合には、この中空層８Ｂの空間温度が上昇して熱が屋外空間へ伝わって屋内空間への熱侵入率が高くなるおそれがあるが、第１実施形態では中空層８Ａから連通口９Ａを通じて排熱するので、中空層８Ｂの空間温度の上昇を抑え、屋内空間への熱侵入率が高くなるおそれをなくしている。従って、中空層８Ａ，８Ｂの双方が密閉される場合と比べ、日射量に対する日射熱取得率が低くなる。
【００４１】
前述した第２実施形態に係る日射調整窓１Ｂによれば、日射調整窓１Ｂの中空層８Ａが密閉され、中空層８Ｂが屋外空間に連通されるので、外気温が室温よりも高い夏期などに日射量が多くなる環境下においては、日射を受けてサーモクロミックガラス２０のガラス温度が上昇することで、サーモクロミックガラス２０を透過する透過日射量を少なくできると共に、密閉された中空層８Ａによってサーモクロミックガラス２０のガラス温度を保つことができ、これにより、日射量に対する日射遮蔽率を高くすることができる。一方、中空層８Ｂから屋外空間へ排熱されるので、日射調整窓１Ｂ自体の温度の上昇を抑えることができて屋内空間への熱侵入量を少なくでき、これにより、日射量に対する日射熱取得率を低くすることができる。
【００４２】
［第３実施形態］
以下、本発明の第３実施形態を図面に基づいて説明する。
図６において、第３実施形態に係る日射調整窓１Ｃは、外気温が室温よりも低くなる冬期使用に適したものであり、前述した日射調整窓１に対して、外ガラス７および中間ガラス１０の間の中空層８Ａが密閉されており、内ガラス６および中間ガラス１０の間の中空層８Ｂが屋内空間に連通される構成が相違する。
外ガラス７および中間ガラス１０の上縁、下縁および左右の縦縁が窓枠４に取り付けられており、内ガラス６の左右の縦縁が窓枠４に取り付けられている。内ガラス６の上縁および下縁と窓枠４との間には、中空層８Ｂを屋内空間に放熱可能に連通した連通口９Ｃが形成されている。連通口９Ｃの開口面積は、日射調整窓１Ｃから屋内空間への熱侵入量と、日射調整窓１Ｃを透過する透過日射量との総量が最大となる放熱量となるように、中空層８Ａ，８Ｂの容量・断熱性や中間ガラス１０の特性などとの関係を考慮して設定される。
密閉された中空層８Ａの距離Ｌ１は、屋内外を断熱して中間ガラス１０側から屋外側へ熱が逃げることを抑制しつつ日射調整窓１Ｃの見込み寸法を小さくできるように中空層８Ｂの容量・断熱性や連通口９Ｃによる放熱量との関係を考慮して設定される。
屋内空間に連通された中空層８Ｂの距離Ｌ２は、日射調整窓１Ｃから屋内空間への熱侵入量と、日射調整窓１Ｃを透過する透過日射量との総量が最大となるように、連通口９Ｃの開口面積、中空層８Ａの容量・断熱性や中間ガラス１０の特性などとの関係を考慮して設定される。
【００４３】
次に日射調整窓１Ｃの作用について説明する。ここでは、外気温が室温よりも低く、屋内空間から屋外空間へ熱が逃げやすい環境下を想定する。
外ガラス７は、屋外空間に晒されるので外気温に近いガラス温度となる。この外ガラス７は透明ガラスなので太陽５からの日射を透過する。中間ガラス１０が外ガラス７を透過した日射を受けると、サーモクロミックガラス２０のガラス温度に応じて透過する透過日射量を調整し、日射のうち赤外線を熱遮断フィルム３０によって熱遮断する。中間ガラス１０の具体的作用は前述した通りである。内ガラス６が中間ガラス１０を透過した日射を受けると、透明ガラスなので日射を透過する。このように、太陽５からの日射を透過する透過日射量は概ね中間ガラス１０によって調整される。ここで、中間ガラス１０および外ガラス７の間の中空層８Ａは密閉されているので、屋内空間の熱が屋外空間へ逃げることを抑制できる。また、中空層８Ｂは、中間ガラス１０を透過した日射や中間ガラス１０が吸収した熱によって空間温度が上昇される。この中空層８Ｂから連通口９Ｃを通じて屋内空間に放熱されるので、日射量に対する日射熱取得率が高くなる。一方、中間ガラス１０から中空層８Ｂおよび連通口９Ｃを通じて屋内空間へ放熱されるので、中間ガラス１０のサーモクロミックガラス２０のガラス温度を低下させることができ、日射量に対する透過日射量が多くなる。
【００４４】
［第３実施形態の効果］
第３実施形態に係る日射調整窓１Ｃによれば、外ガラス７および中間ガラス１０の間の中空層８Ａが密閉され、内ガラス６および中間ガラス１０の間の中空層８Ｂが屋内空間に連通されるので、外気温が室温よりも低い冬期などに日射量が多くなる環境下においては、中空層８Ｂから屋内空間へ放熱されるので、サーモクロミックガラス２０のガラス温度の上昇を抑えることができて透過日射量を多くすることができ、日射量に対する日射遮蔽率を低くすることができる。一方、中空層８Ａにおいて屋内外を断熱しつつ、中空層８Ｂの熱を留まらせずに屋内空間へ取り込むことができ、これにより、日射量に対する日射熱取得率を高くすることができる。
【００４５】
［変形例］
第１実施形態では中空層８Ａが連通口９Ａを通じて屋外空間に連通されており、第２実施形態では中空層８Ｂが連通口９Ｂを通じて屋外空間に連通されており、これらの連通口９Ａ，９Ｂは常時開放タイプとされているが、例えば開閉蓋などを設けて連通口９Ａ，９Ｂを連通状態および閉鎖状態を切替可能な構成としてもよい。この場合、外気温が低く室温が高くなる冬期などの環境下においても、連通口９Ａ，９Ｂを閉鎖して中空層８Ａ，８Ｂを密閉することで日射調整窓１，１Ｂの断熱性を高めることができ、当環境下に対応させることができる。
第３実施形態では、中空層８Ｂが連通口９Ｃを通じて屋内空間に連通されており、連通口９Ｃは常時開放タイプとされているが、例えば開閉蓋などを設けて連通口９Ｃを連通状態および閉鎖状態を切替可能な構成としてもよい。この場合、外気温が高く室温が低い冬期などの環境下であって日射量が少ない曇天や日射のない夜間などには、連通口９Ｃを閉鎖して中空層８Ｂを密閉することで日射調整窓１Ｃの断熱性を高めることができ、冬期の曇天や夜間などにも対応させることができる。
【００４６】
第１実施形態の日射調整窓１は連通口９Ａのみを備えており、第２実施形態の日射調整窓１Ｂは連通口９Ｂのみを備えており、第３実施形態の日射調整窓１Ｃは連通口９Ｃのみを備えているが、これらに限らず、例えば、連通口９Ａと連通口９Ｃとの双方を備え、連通口９Ａ，９Ｃを開閉蓋などによって閉鎖可能とした日射調整窓を構成してもよい。
このような日射調整窓によれば、外気温が室温よりも高い夏期などに日射量が多くなる環境下においては、連通口９Ａを開いて中空層８Ａを屋外空間に連通する一方、連通口９Ｃを閉鎖して中空層８Ｂを密閉することで、第１実施形態と同様に日射遮蔽率を高くすることができる一方、日射熱取得率を低くすることができる。また、外気温が室温よりも低い冬期などに日射量が多くなる環境下においては、連通口９Ａを閉鎖して中空層８Ａを密閉する一方、連通口９Ｃを開いて中空層８Ｂを屋内空間に連通することで、第３実施形態と同様に日射遮蔽率を低くすることができる一方、日射熱取得率を高くすることができる。更に、冬期であって日射の少ない曇天や日射のない夜間などには、連通口９Ａ，９Ｃの双方とも閉鎖することで、日射調整窓の断熱性を高めることができ、これらの環境にも対応させることができる。このように、外気温および室温や日射量に応じて連通状態および閉鎖状態を切り替えることができ、日射遮蔽率および日射熱取得率を調整することができる。
また、例えば、連通口９Ｂと連通口９Ｃとの双方を備え、連通口９Ｂ，９Ｃを開閉蓋などによって閉鎖可能とした日射調整窓を構成してもよい。この場合、連通状態および閉鎖状態を切替可能な連通口９Ａ，９Ｃを備えた日射調整窓と同様に連通状態および閉鎖状態を切り替えて日射遮蔽率および日射熱取得率を調整することができる。なお、この場合、外ガラス７および中間ガラス１０の間の中空層８Ａは常に密閉状態となり、内ガラス６および中間ガラス１０の間の中空層８Ｂが屋外空間に連通した屋外連通状態、屋内空間に連通した屋内連通状態および密閉状態の三つの状態のいずれかに切り替えられる構成となる。なお、屋内外間の換気が必要な場合には、連通口９Ｂ，９Ｃの双方を開くことで、屋内空間および屋外空間を連通させることで換気状態にもできる。
【００４７】
第１〜第３実施形態では、連通口９Ａ〜９Ｃは、外ガラス７、中間ガラス１０および内ガラス６に対して上下に配置されているが、中空層８Ａ，８Ｂを屋外空間や屋内空間と連通できるように形成されていればよく、例えば、外ガラス７、中間ガラス１０および内ガラス６に対して上下一方だけに連通口９Ａ〜９Ｃが形成されていてもよく、また、外ガラス７、中間ガラス１０および内ガラス６の縦縁と窓枠４との間に連通口９Ａ〜９Ｃが形成されていてもよい。
第１，２実施形態では、外ガラス７の屋外面７１が、外壁面２Ａに対して屋内側に寄った位置に配置されることで、外ガラス７が屋外の風を受けにくく、連通口９Ａ，９Ｂに流れ込む気体流量が屋外の風の変化に影響されにくい構成となっているが、例えば屋外面７１が外壁面２Ａに対して面一となる位置に配置されても、前述同様に屋外の風の変化に影響されにくい構成にできる。また、サーモクロミックガラス２０のガラス温度や中空層８Ａ，８Ｂからの排熱量を適切な範囲に保てる場合には、屋外面７１を外壁面２Ａよりも屋外側に突出した位置に配置してもよい。
第１〜第３実施形態では、中間ガラス１０のサーモクロミックガラス２０の屋内面２２に熱遮断フィルム３０が貼り付けられているが、この熱遮断フィルム３０により赤外線を熱遮断する必要や、サーモクロミックガラス２０のガラス温度の上昇を促進させる必要がない場合には、熱遮断フィルム３０の構成を省略してもよい。
第１〜第３実施形態では、熱線吸収フィルムは、図２（Ａ）に示す分光特性を有しているが、この特性に限らず、可視光線を透過し、且つサーモクロミックガラス２０のガラス温度を上昇できる程度に赤外線を吸収する特性を有していればよい。また、第１〜第３実施形態では、熱線反射フィルムは、図２（Ｂ）に示す分光特性を有しているが、この特性に限らず、可視光線を透過し、且つサーモクロミックガラス２０のガラス温度を上昇できる程度に赤外線を反射する特性を有していればよい。
第１〜第３実施形態では、熱線吸収フィルムは、可視光線透過率がサーモクロミックガラス２０の可視光線透過率よりも高くなっているが、同程度であってもよい。また、第１〜第３実施形態では、熱線反射フィルムは、可視光線透過率がサーモクロミックガラス２０の可視光線透過率よりも高くなっているが、同程度であってもよい。
第１〜第３実施形態では、熱遮断フィルム３０は、サーモクロミックガラス２０の屋内面２２に貼り付けられているので、他の熱遮断フィルム３０と貼り替えることで中間ガラス１０の特性を調整、変更することが可能であり、例えば熱線反射フィルムから熱線吸収フィルムに貼り替えることができる。
第１〜第３実施形態では、熱遮断フィルム３０は、屋内面２２のうち屋内中空層８Ｂに露出する全面に貼り付けられているが、部分的に貼り付けられていてもよく、例えば日射の入射角などを考慮して、サーモクロミックガラス２０の上下半分などに貼り付けられていてもよい。
第１〜第３実施形態では、熱遮断フィルム３０は、サーモクロミックガラス２０の屋内面２２に貼り付けられているが、これに限らず、スパッタリング等で形成された熱遮断膜であってもよい。
第１〜第３実施形態に係る日射調整窓１，１Ｂ，１Ｃは、内ガラス６、外ガラス７および中間ガラス１０を備えた三重窓として構成されているが、例えば、内ガラス６、外ガラス７および中間ガラス１０が窓枠４などの枠材に不動に固定された固定窓（ＦＩＸ窓）であってもよく、内ガラス６、外ガラス７および中間ガラス１０が窓枠４などの枠材に開閉可能に取り付けられた各種の窓であってもよい。また、内ガラス６、外ガラス７および中間ガラス１０が別々の窓枠４に取り付けられて構成されてもよく、例えば、引き違い窓などの開閉可能な窓によって構成される場合には、この窓を中空層８Ａ，８Ｂの排熱、放熱に適した開口面積となるように開くことで連通口９Ａ〜９Ｃを形成してもよい。
また、既設窓の屋外側にサーモクロミックガラス２０を有した中間ガラス１０と外ガラス７とを新設して連通口９Ａ（または連通口９Ｂ）を備えた日射調整窓を構成してもよく、また、既設窓の屋内側にサーモクロミックガラス２０を有した中間ガラス１０と内ガラス６とを新設して連通口９Ｃを備えた日射調整窓を構成してもよい。
【符号の説明】
【００４８】
１，１Ｂ，１Ｃ…日射調整窓、２…建物壁、２Ａ…外壁面、２０…サーモクロミックガラス、２１，７１…屋外面、２２…屋内面、３…開口、３０…熱遮断フィルム、４…窓枠（枠体）、５…太陽、６…内ガラス、７…外ガラス、８Ａ，８Ｂ…中空層、９Ａ〜９Ｃ…連通口、１０…中間ガラス（日射遮蔽ガラス）、Ｌ１，Ｌ２…距離。
【図１】
2019183547.tif 000003
【図２】
2019183547.tif 000004
【図３】
2019183547.tif 000005
【図４】
2019183547.tif 000006
【図５】
2019183547.tif 000007
【図６】
2019183547.tif 000008